(57)【要約】【課題】外力に対する耐久性の高い自立型家具を提供する。【解決手段】上方域において横架フレーム５Ａで互いに連結された少なくとも２本の立設フレーム４，４が、その中方域において水平補強部１１と交差状態で固定され、立設フレーム４，４における水平補強部１１の下方に延びる下方域が、水平補強部１１から下方に延出する複数の脚フレーム８，８と協働して脚状のベース部３を構成するようにした。【選択図】図１
2018068859.tif 000002
【特許請求の範囲】
【請求項１】
機能部として利用可能な機能フレーム部と、該機能フレーム部を床面から自立可能に支持するベース部とを有する自立型家具であって、
上方域において横架フレームで互いに連結された少なくとも２本の立設フレームが、その中方域において水平補強部と交差状態で固定され、
前記立設フレームにおける前記水平補強部の下方に延びる下方域が、前記水平補強部から下方に延出する複数の脚フレームと協働して脚状の前記ベース部を構成するようになっていることを特徴とする自立型家具。
【請求項２】
前記水平補強部は、十字状の横梁フレームで構成され、十字状の横梁フレームの一片両外端部に２本の立設フレームがそれぞれ固定されるとともに、他片の両外端部に２本の前記脚フレームが配置固定されていることを特徴とする請求項１に記載の自立型家具。
【請求項３】
前記水平補強部の上面には、プレートが固定されていることを特徴とする請求項１または２に記載の自立型家具。
【請求項４】
前記プレートは、円形プレートであることを特徴とする請求項３に記載の自立型家具。
【請求項５】
上方域の前記横架フレームと、中方域の水平補強部と、２本の立設フレームとで構成される矩形空間に、板状の機能部材が装設されてなることを特徴とする請求項１ないし４のいずれかに記載の自立型家具。
【発明の詳細な説明】
【技術分野】
【０００１】
本発明は、上部に機能部を備えた自立型家具に関する。
【背景技術】
【０００２】
従来の自立型家具としては、特許文献１のように、衣類等が掛けられるハンガーを吊支する機能部を上方に有するものがある。この自立型家具は、支柱とベース部とがネジ締結で連結固定されたフレーム構造とされて、支柱が自立するようになっており、この支柱の上方に機能部が設けられている。また、この自立型家具は、ベース部の下端の４点にキャスターが設けられており、床面上を移動できるようになっている。これによれば自立型家具を移動させる際には、自立型家具自体が床面上をキャスターにより自由に移動するため、ベース部と支柱との連結固定部分に負荷が掛かりづらく、連結固定部分が破損する心配がなかった。
【先行技術文献】
【特許文献】
【０００３】
【特許文献１】特開２００３−１８０４９５号公報（第３頁、第１図）
【発明の概要】
【発明が解決しようとする課題】
【０００４】
上記したように、キャスターを介して床面上に支持させることで移動を許容するものが一般的である一方で、ベース部の下面を滑り止め等を介して直接床面に設置することで、キャスターを介する形態よりも設置時の安定度を高めた形態の自立型家具もある。しかしながら、直接床面に設置する形態の場合、自立型家具自体が床面上を移動しづらいことからベース部と支柱との連結固定部分に負荷が掛かり易いため、連結固定部分が破損する虞があった。
【０００５】
本発明は、このような問題点に着目してなされたもので、設置時の安定度を高めながら移動時の外力に対する耐久性の高い自立型家具を提供することを目的とする。
【課題を解決するための手段】
【０００６】
前記課題を解決するために、本発明の自立型家具は、
機能部として利用可能な機能フレーム部と、該機能フレーム部を床面から自立可能に支持するベース部とを有する自立型家具であって、
上方域において横架フレームで互いに連結された少なくとも２本の立設フレームが、その中方域において水平補強部と交差状態で固定され、
前記立設フレームにおける前記水平補強部の下方に延びる下方域が、前記水平補強部から下方に延出する複数の脚フレームと協働して脚状の前記ベース部を構成するようになっていることを特徴としている。
この特徴によれば、少なくとも２本の立設フレームが上方域において横架フレームで互いに連結され、その中方域において水平補強部に交差状態で固定されるため、前記水平補強部と前記立設フレームとの接合強度が確保され、水平補強部の上方に強固な機能フレーム部を構成できるとともに、水平補強部の下方域に延びる立設フレームを脚状のベース部として利用することから、機能フレーム部とベース部との一部が一体化され、自立型家具を移動させる際等に掛かる外力に対する耐久性を高めることができる。
【０００７】
前記水平補強部は、十字状の横梁フレームで構成され、十字状の横梁フレームの一片両外端部に２本の立設フレームがそれぞれ固定されるとともに、他片の両外端部に２本の前記脚フレームが配置固定されていることを特徴としている。
この特徴によれば、上方域の機能フレーム部に捩じり応力等が加わる場合、床面上に設置された両脚フレームが平面視十字状の水平補強部を介して立設フレームの変形を阻止し、機能フレーム部の変形を最小化できる。
【０００８】
前記水平補強部の上面には、プレートが固定されていることを特徴としている。
この特徴によれば、フレーム部材で構成された水平補強部を上方からプレートで隠蔽することにより美観を向上できるとともに、プレート上面を物品載置台として有効に利用できる。また、プレートと水平補強部との固定により、水平補強部の強度が高められている。
【０００９】
前記プレートは、円形プレートであることを特徴としている。
この特徴によれば、自立型家具を部屋の壁と壁の交わるコーナー部に配置する際、機能フレーム部をコーナー部近傍において自由に回転させてもデッドスペースが発生せず、機能性が向上するとともに美観の向上にもつながる。
【００１０】
上方域の前記横架フレームと、中方域の水平補強部と、２本の立設フレームとで構成される矩形空間に、板状の機能部材が装設されてなることを特徴としている。
この特徴によれば、横架フレームと水平補強部とが比較的接近しているため、前記矩形空間の剛性が確保され、板状の機能部材に及ぼされる変形量を抑えることができる。
【図面の簡単な説明】
【００１１】
【図１】実施例１における自立型家具を示す斜視図である。
【図２】実施例１における自立型家具の分解斜視図である。
【図３】実施例１における自立型家具を示す正面図である。
【図４】実施例１における自立型家具をコーナー部に配置した図であり、（ａ）は機能フレーム部を壁に対して斜めに配置した場合を示す上面図であり、（ｂ）は機能フレーム部を一方の壁に対して平行に配置した場合を示す斜視図であり、（ｃ）は（ｂ）の場合の上面図である。
【図５】実施例２における自立型家具の分解斜視図である。
【図６】実施例２における自立型家具を示す正面図である。
【図７】実施例２における自立型家具の変形例を示す図である。
【発明を実施するための形態】
【００１２】
本発明に係る自立型家具を実施するための形態を実施例に基づいて以下に説明する。
【実施例１】
【００１３】
実施例１に係る自立型家具につき、図１から図４を参照して説明する。本実施例において自立型家具は、例えば室内に設置され、衣類等が掛けられるハンガーを吊支するものとして説明する。
【００１４】
図１に示されるように、自立型家具１は、機能フレーム部２と、機能フレーム部２を床面Ｆ上に自立可能に支持する脚状のベース部３とから構成されている。
【００１５】
図１及び図２で示されるように、自立型家具１は、左右方向に所定間隔離間して立設する棒状部材である木製のフレーム材（立設フレーム）４，４が床面Ｆ上に自立可能に支持されており、これらフレーム材４，４は上方域で上部連結材（横架フレーム）５Ａ，５Ｂにより連結され、中方域で中部連結材（横梁フレーム）６により連結されている。
【００１６】
図２に示されるように、フレーム材４は上方域の側部に凹部４ａ，４ｂをそれぞれ備えており、フレーム材４，４の凹部４ａ，４ａに、上部連結材５Ａの長手方向の両端に設けられた凸部５ａ，５ａが、フレーム材４，４の凹部４ｂ，４ｂに、上部連結材５Ｂの長手方向の両端に設けられた凸部５ｂ，５ｂが、それぞれ嵌合固定されている。
【００１７】
また、フレーム材４は中方域の側部に凹部４ｃを備えており、フレーム材４，４の凹部４ｃ，４ｃに、中部連結材６の長手方向の両端に設けられた凸部６ａ，６ａが嵌合固定されている。
【００１８】
これらフレーム材４に設けられた凹部４ａ，４ｂは、その開口寸法が上部連結材５Ａ，５Ｂの凸部５ａ，５ｂの周方向の寸法よりも若干小さく形成されている。フレーム材４と上部連結材５Ａ，５Ｂとはそれぞれ木製であるため弾性を備えることから、上部連結材５Ａ，５Ｂの凸部５ａ，５ｂが凹部４ａ，４ｂ内に縮小されるように圧入され、これらの固定力が高くなっている。
【００１９】
図２で示されるように中部連結材６には、中部連結材６と長手方向において同寸法である横杆部材７（横梁フレーム）が上面視略十字に直交して固定されている。詳しくは、中部連結材６の下面中央部には下方に開口する断面略コ字状の切欠部６ｂが形成されており、横杆部材７の上面中央部には上方に開口する断面略コ字状の切欠部７ｂが形成されており、これら切欠部６ｂ，切欠部７ｂが上下方向から相互に嵌合されている。これら中部連結材６と横杆部材７とが一体に固定されることにより、フレーム材４，４の中方域の強度材として機能する水平補強部１１（図３参照）が構成されている。
【００２０】
また、フレーム材４，４は、上部連結材５Ａ，５Ｂ及び中部連結材６とともに、下方両端から脚が延出された正面視略矩形状を成しており、中部連結材６は下方に開口する断面略コ字状の切欠部６ｂを備えている。詳細は後述する脚フレーム材８，８は、横杆部材７とともに門状を成しており、上方に開口する断面略コ字状の切欠部７ｂを備えており、中部連結材６が横杆部材７に上方から跨がるように設けられ、切欠部７ｂに上方から切欠部６ｂが嵌合されている。そのため、縦長かつ、重量の重いフレーム材４，４、上部連結材５Ａ，５Ｂ及び中部連結材６を、上下方向に短尺で門状を成す脚フレーム材８，８及び横杆部材７に荷重を預けて支持させる構造となっていることから、脚４本に均等に荷重が掛かることでベース部３の安定感が増し、強度を保つことができるようになっている。
【００２１】
図３に示されるように、フレーム材４，４は上方域において上部連結材５Ａ，５Ｂにより連結され、下方域のベース部３より上方即ち中方域で水平補強部１１を構成する中部連結材６により連結され、フレーム材４，４と、上部連結材５Ａ，５Ｂと、水平補強部１１とが４辺を構成する正面視略矩形状の機能フレーム部２が形成される。尚、機能フレーム部２を構成する上部連結材５Ｂは図１に示されるように、衣類等が掛けられるハンガーを吊支できる吊支部として機能している。
【００２２】
また、中部連結材６の切欠部６ｂは、開口の幅寸法が横杆部材７の幅寸法より若干小さく形成され、同様に横杆部材７の切欠部７ｂの開口の幅寸法が中部連結材６の幅寸法より若干小さく形成されていることから、これらが相互に嵌合された際には相互に開口内に圧入されて固定力が高くなっている。尚、固定された中部連結材６の上面６ｃと、横杆部材７の上面７ｃが略面一に位置合わせされるように、切欠部６ｂ及び切欠部７ｂの深さ寸法が設計されている。
【００２３】
横杆部材７には、その長手方向の両端に凸部７ａ，７ａが設けられており、脚フレーム材（脚フレーム）８，８の上端側の側部に設けられた凹部８ａ，８ａが凸部７ａ，７ａに嵌合することで、横杆部材７と脚フレーム材８，８とが固定されている。
【００２４】
図３に示されるように、脚フレーム材８は、下端８ｂがフレーム材４の下端４ｄと同じ高さとなるように形成されており、水平補強部１１より下方側に位置するフレーム材４，４の下方域と脚フレーム材８，８とが協働することで、床面Ｆ上に設置された自立型家具１を全周方向の転倒を防止しながら自立させるベース部３を構成している。これら脚フレーム材８の下端８ｂと、フレーム材４の下端４ｄとは、それぞれ直接床面Ｆに設置されているためキャスターを介する形態等よりも設置時の安定度が高められている。
【００２５】
また、中部連結材６と横杆部材７との嵌合部分を囲むように、中部連結材６の側面６ｄと横杆部材７の側面７ｄとの間に補強材９，９，９，９が配置されている。補強材９は、ネジ（図示せず）により補強材孔部９ｂと中部連結材６の側面６ｄの孔部６ｆと横杆部材７の側面７ｄの孔部７ｆにそれぞれ締結されて中部連結材６と横杆部材７との一体性を高めている。また、補強材９は、中部連結材６の側面６ｄと横杆部材７の側面７ｄとにそれぞれ平行に当接する傾斜面９ａ，９ａを長手方向両端に有する上面視略台形状に形成されており、中部連結材６の側面６ｄと横杆部材７の側面７ｄとが近接する方向に掛かる応力を受けることで、水平補強部１１の強度を高めている。
【００２６】
図２及び図３に示されるように、中部連結材６と横杆部材７の上には、円形のプレート１０が載置されており、このプレート１０により水平補強部１１を上方から隠蔽して美観が向上されているとともに、プレート１０の上面を物品載置台として有効に利用することができる（図１参照）。
【００２７】
中部連結材６と横杆部材７とには、長手方向の端側に上下に貫通する孔部６ｅ，６ｅ，７ｅ，７ｅが形成されており、これら孔部６ｅ，６ｅ，７ｅ，７ｅに挿通される図示しないネジにより中部連結材６と横杆部材７とプレート１０とが締結固定されている。そのため、プレート１０と水平補強部１１との固定により、水平補強部１１の強度が高められている。
【００２８】
このように、フレーム材４，４が上方域において上部連結材５Ａ，５Ｂで互いに連結され、その中方域において水平補強部１１に交差状態で固定されるため、水平補強部１１とフレーム材４，４との接合強度が確保され、水平補強部１１の上方に強固な機能フレーム部２を構成できるとともに、水平補強部１１の下方域に延びるフレーム材４，４を脚状のベース部３として利用することから、機能フレーム部２とベース部３との一部が一体化され、フレーム材４，４を把持して自立型家具１を移動させる際、例えば図４におけるようにコーナー部Ｃ近傍で角度を変更させる移動の際等に掛かる捩じり応力に対する耐久性を高めることができる。
【００２９】
また、一対のフレーム材４，４が上下方向に亘って延びているため、該フレーム材４，４は把持しやすく、自立型家具１を移動させやすくなっている。さらに、一対のフレーム材４は床面から機能部に渡って延びる一本の棒状部材であるため、その強度が高いのみならず、上下方向に分断される切れ目が無く縦長の印象を与え美観が高められている。
【００３０】
また、上方域の機能フレーム部２に捩じり応力等が加わる場合、機能フレーム部２を構成するフレーム材４，４に渡されて固定された中部連結材６の長手方向の中央部に捩じれの歪が集中し易くなっているが、床面Ｆ上に設置された両脚フレーム材８，８が、この中部連結材６の長手方向の中央部に固定されていることで、中部連結材６の捩じれを抑制でき、ひいてはフレーム材４，４で構成された機能フレーム部２の変形を最小化することができる。
【００３１】
また、中部連結材６と横杆部材７とは、切欠部６ｂと切欠部７ｂとの嵌合により連結固定されているため、相互に相対的な回動が規制されており、前述の中部連結材６の捩じれを効果的に規制することができる。
【００３２】
また、機能フレーム部２は４辺がそれぞれ連結された正面視略矩形状に構成されていることから、捩り方向の応力に対する強度が高められている。
【００３３】
また、図１に示されるように、自立型家具１は、部屋の壁Ｗと壁Ｗの交わるコーナー部Ｃ近傍に設置されることがある。このような場合、水平補強部１１の上に載置されるプレート１０が円形であることに加え、ベース部３が４本の棒状体で構成される脚状であり、更にこれらが円形のプレート１０の周方向に等間隔配置されているため、コーナー部Ｃにデッドスペースを限りなく小さくしながら配置させることができる。
【００３４】
図４（ａ）は、図１に示す自立型家具１のコーナー部Ｃ近傍への配置角度を、上方から見た図であり、図４（ｂ），（ｃ）は、機能フレーム部２を部屋の一方の壁Ｗに対して並行となるように配置した図である。図４（ａ）に示すように、機能フレーム部２を部屋の壁Ｗに対して斜めに配置することで、コーナー部Ｃへの距離、即ち奥行方向を大きくとることができる。このように、機能フレーム部２を使いやすい角度に向けるためにコーナー部Ｃ近傍において自由に回転させて配置させることができるとともに、コーナー部Ｃに対する角度に関わらずにベース部３を構成するフレーム材４，４と脚フレーム材８，８とが偏って大きく張り出すことがない。
【実施例２】
【００３５】
次に、実施例２に係る自立型家具につき、図５から図７を参照して説明する。尚、前記実施例と同一構成で重複する構成の説明を省略する。
【００３６】
図５に示される自立型家具１’は、フレーム材４’，４’の上方域に構成される機能フレーム部が鏡として機能する場合を示すものである。フレーム材４’の内側には凹部４ａの下には凹部４ｆが形成されており、凹部４ａと凹部４ｆとの間に溝部４ｅが形成されている。フレーム材４’，４’の凹部４ｆ，４ｆには連結材１５の長手方向両端に設けられた凸部１５ａ，１５ａがそれぞれ嵌合するようになっている。
【００３７】
連結材１５の上面側には長手方向に渡り溝部１５ｂが形成され、同様に上部連結材５Ａ’の下面側にも長手方向に渡り溝部５ｃが形成されている。鏡を構成する鏡部材（板状の機能部材）１６は、鏡部材１６の幅方向の両側部１６ａ，１６ａがフレーム材４’，４’の内側の溝部４ｅ，４ｅに嵌合し、下端部１６ｂが連結材１５の溝部１５ｂに、上端部１６ｃが上部連結材５Ａ’の溝部５ｃにそれぞれ嵌合することで、フレーム材４’，４’に固定支持されている。
【００３８】
また、連結材１５と水平補強部１１との間には補助連結材１７が配置されており、補助連結材１７の長手方向の両端部１７ａ，１７ａがフレーム材４’，４’の内側に設けられた凹部４ｇ，４ｇにそれぞれ嵌合されている。この補助連結材１７の上面には平面視略楕円形状のプレート１８が取り付けられており、小物を配置可能となっている。
【００３９】
図６に示されるように、フレーム材４’，４’の上方域と、上部連結材５Ａ’と、水平補強部１１とにより４辺がそれぞれ連結された正面視略矩形状の機能フレーム部２に鏡部材１６が取り付けられていることから、フレーム材４’，４’を把持して自立型家具１’を移動させる際等に掛かる捩じり方向の応力に対する強度が高く、鏡部材１６に及ぼされる変形量を抑えることができる。
【００４０】
また、機能フレーム部２の上下方向における中央側において、フレーム材４’，４’に連結材１５と補助連結材１７とが架け渡されて取り付けられていることにより、機能フレーム部２の捩じり方向の応力に対する強度が更に高められており、比較的強度の低い鏡部材１６の破損を効果的に防止することができる。
【００４１】
また、フレーム材４’，４’の上方域に構成される機能フレーム部２に取り付ける板状の機能部材としては、鏡部材１６に代えて、図７の変形例に示されるような黒板を構成する板部材１９を取り付けてもよい。このとき、連結材１５’を図のように長手方向に渡り幅広に形成することで、その上面にチョーク等の小物を配置することができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例においては、フレーム材の上方域に構成される機能フレーム部がハンガーを吊支できる吊支部、鏡、黒板として機能する形態をそれぞれ説明したが、機能フレーム部の形態はこれに限らず、例えば、棚や照明として機能する形態を構成してもよい。
【００４４】
また、前記実施例において水平補強部１１は、中部連結材６と横杆部材７とが上面視略十字に直交して固定されて構成されているが、これに限らず、例えば中部連結材６と横杆部材７とが直角以外の角度で交差していてもよいし、３本以上の複数の横杆部材を交差させて構成されてもよい。更に、短寸の横杆部材を複数本放射状に組み合わせて構成してもよい。
【００４５】
また、前記実施例においては、機能フレーム部２とベース部３とを構成する部材が木製であり、それぞれの部材を凹凸嵌合やネジにより固定する構成で説明したが、これらを金属製とし、溶接により一体に形成した構成としてもよい。
【００４６】
また、前記実施例において２本のフレーム材４，４は、上端近傍で上部連結材５Ａにより連結されているが、その上方域で連結されていれば、フレーム材４，４の上端から下方に離れた位置で連結されていてもよい。更に、フレーム材４，４は、フレーム材４，４を上方域で連結する上部連結材５Ａと中方域で連結する水平補強部１１との間で上下方向に渡り複数箇所で連結されていてもよい。
【００４７】
また、フレーム材は２本に限らず、３本以上の複数本であってもよい。
【符号の説明】
【００４８】
１                自立型家具
２                機能フレーム部
３                ベース部
４                フレーム材（立設フレーム）
５Ａ              上部連結材（横架フレーム）
５Ｂ              上部連結材（横架フレーム）
６                中部連結材（横梁フレーム）
６ｂ              中部連結材切欠部
７                横杆部材（横梁フレーム）
７ｂ              横杆部材切欠部
８                脚フレーム材（脚フレーム）
８ｂ              脚フレーム材下端
９                補強材
１０              プレート
１１              水平補強部
１５              連結材
１６              鏡部材（板状の機能部材）
１７              補助連結材
１８              プレート
１９              板部材（板状の機能部材）
Ｃ                コーナー部
Ｆ                床面
Ｗ                壁
【図１】
2018068859.tif 000003
【図２】
2018068859.tif 000004
【図３】
2018068859.tif 000005
【図４】
2018068859.tif 000006
【図５】
2018068859.tif 000007
【図６】
2018068859.tif 000008
【図７】
2018068859.tif 000009